(57)【要約】【課題】部品点数を少なくして、組立性、作業性に優れたレンズ鏡筒を提供する。【解決手段】光学系を保持する光学系保持部（１４）と、光学系保持部（１４）の外周に備えられた筒部材（１）と当接する当接部と、光学系保持部（１４）と当接部（２７）との間に設けられた弾性部（２０）とを有する保持枠（１０）と、弾性部（２０）の変形により、当接部を筒部材（１）に当接させて、保持枠（１０）の光学系保持部（１４）を光学系の光軸Ｌに交差する方向に押圧する押圧手段（１１）とを備えている。【選択図】図１
2010145892.tif 000002
【特許請求の範囲】
【請求項１】
光学系を保持する光学系保持部と、前記光学系保持部の外周に備えられた筒部材と当接する当接部と、前記光学系保持部と前記当接部との間に設けられた弾性部とを有する保持枠と、
前記弾性部の変形により、前記当接部を前記筒部材に当接させて、前記保持枠の前記光学系保持部を前記光学系の光軸に交差する方向に押圧する押圧手段と
を備えていることを特徴とするレンズ鏡筒。
【請求項２】
前記押圧手段は、前記筒部材に螺合され、前記保持枠の前記光学系保持部を押圧するビスであることを特徴とする請求項１記載のレンズ鏡筒。
【請求項３】
前記弾性部は溝を有することを特徴とする請求項１又は２記載のレンズ鏡筒。
【請求項４】
前記押圧手段による前記光学系保持部の押圧方向とは異なる方向に前記光学系保持部を押圧し、前記押圧手段との間で前記光学系保持部を挟んで固定する第１の固定手段を有することを特徴とする請求項１〜３のいずれか１項記載のレンズ鏡筒。
【請求項５】
前記筒部材は光軸に沿った方向に前記保持枠を固定する胴付部を内周に有し、前記保持枠の前記光学系保持部を前記胴付部に固定する第２の固定手段を備えていることを特徴とする請求項１〜４のいずれか１項記載のレンズ鏡筒。
【請求項６】
前記押圧手段によって前記光学系保持部が移動するときに、押圧方向以外の方向に移動するのを防止する移動防止手段を有することを特徴とする請求項１〜５のいずれか１項記載のレンズ鏡筒。
【発明の詳細な説明】
【技術分野】
【０００１】
この発明はレンズ鏡筒に関する。
【背景技術】
【０００２】
従来、３箇所に設けた押しビスの押し引きのバランスにより偏芯リングと一体的に保持された１群鏡筒の平行偏芯調整を行う光学調整構造が知られている（下記公報参照）。
【特許文献１】特開２００６−９１１５３号公報
【発明の開示】
【発明が解決しようとする課題】
【０００３】
しかし、上記調整では、複数の押しビスを緩めたり、締め込んだりしなければならず、作業性が悪く、しかも押しビスを締め込み過ぎるとレンズが割れ、締め込みが足りないとレンズが外れてしまうという問題がある。複数の押しビスと対向する位置に複数の弾性部をそれぞれ配置することにより上記問題を解決することはできるが、部品点数が増加し、組立性が悪くなる。
【０００４】
この発明はこのような事情に鑑みてなされたもので、その課題は部品点数を増加させずに、調芯作業性を容易にすることができるレンズ鏡筒を提供することである。
【課題を解決するための手段】
【０００５】
上記課題を解決するため請求項１記載の発明は、光学系を保持する光学系保持部と、前記光学系保持部の外周に備えられた筒部材と当接する当接部と、前記光学系保持部と前記当接部との間に設けられた弾性部とを有する保持枠と、前記弾性部の変形により、前記当接部を前記筒部材に当接させて、前記保持枠の前記光学系保持部を前記光学系の光軸に交差する方向に押圧する押圧手段とを備えていることを特徴とする。
【０００６】
請求項２記載の発明は、請求項１記載のレンズ鏡筒において、前記押圧手段は、前記筒部材に螺合され、前記保持枠の前記光学系保持部を押圧するビスであることを特徴とする。
【０００７】
請求項３記載の発明は、請求項１又は２記載のレンズ鏡筒において、前記弾性部は溝を有することを特徴とする。
【０００８】
請求項４記載の発明は、請求項１〜３のいずれか１項記載のレンズ鏡筒において、前記押圧手段による前記光学系保持部の押圧方向とは異なる方向に前記光学系保持部を押圧し、前記押圧手段との間で前記光学系保持部を挟んで固定する第１の固定手段を有することを特徴とする。
【０００９】
請求項５記載の発明は、請求項１〜４のいずれか１項記載のレンズ鏡筒において、前記筒部材は光軸に沿った方向に前記保持枠を固定する胴付部を内周に有し、前記保持枠の前記光学系保持部を前記胴付部に固定する第２の固定手段を備えていることを特徴とする。
【００１０】
請求項６記載の発明は、請求項１〜５のいずれか１項記載のレンズ鏡筒において、前記押圧手段によって前記光学系保持部が移動するときに、押圧方向以外の方向に移動するのを防止する移動防止手段を有することを特徴とする。
【発明の効果】
【００１１】
この発明によれば部品点数を増加させずに、調芯作業性を容易にすることができる。
【発明を実施するための最良の形態】
【００１２】
以下、この発明の実施の形態を図面に基づいて説明する。
【００１３】
図１はこの発明の一実施形態に係るレンズ鏡筒の断面を示す概念図、図２は図１のII−II線に沿う断面を示す概念図である。
【００１４】
レンズ鏡筒１００は、調整レンズ群（光学系）４を保持するレンズ室（光学系保持部）１４とレンズ室１４の外周部に一体的に形成された環状部材（弾性部）２０とで構成されるレンズ保持部材（保持枠）１０と、固定筒１に９０°の間隔をおいて配置され、調整レンズ群４の光軸Ｌの位置を調整する調整ビス（押圧手段）１１とを備えている。
固定筒１の一端には、調整レンズ群４に対向配置された固定レンズ群２が保持されている。固定筒１の他端には、カメラボディ等の光学機器に固定するためのバヨネット部を有するマウント５がビス６によって固定されている。
【００１５】
複数の調整ビス１１は光軸Ｌと直交する方向に前進又は後退可能であり、調整ビス１１の先端が環状部材２０の外周面の調整ねじ受け面１２に当接する。環状部材２０のラジアル受部（当接部）２７が固定筒１の内周面に当接する。
【００１６】
調整ビス１１がねじ込まれたとき、環状部材２０の一部が容易に変形することができるように、環状部材２０には溝２１が環状部材２０の周縁部に沿って所定の長さに亘って形成されている。環状部材２０の溝２１が設けられている部分の外側部分が変形可能であり、その他の部分は変形不可に形成されている。
【００１７】
調整レンズ群４が大きくて重い場合、振動や衝撃によって環状部材２０の一部が変形して調整ビス１１の先端と調整ねじ受け面１２との当接位置が変化し、環状部材２０が固定筒１に対して移動するおそれがある。これを阻止するため、固定用ビス（第１の固定手段）１６が固定筒１に配置されている。固定用ビス１６は光軸Ｌと直交する方向に前進又は後退可能である。固定用ビス１６を調整ビス１１と異なる方向からねじ込み、環状部材２０の溝２１より内側を押圧することによって、固定用ビス１６と調整ビス１１とによって環状部材２０が挟まれて固定される。固定用ビス１６をねじ込む位置は例えば図２に一点鎖線で示した位置である。
【００１８】
また、ビス３で固定筒１内に固定された環状の調整群基部（胴付部）７に螺合し、光軸Ｌ方向へ前進又は後退可能なスラスト止めビス（第２の固定手段）２５で、環状部材２０は調整群基部７の一端面に固定されている。スラスト止めビス２５は、環状部材２０に形成された、４つのスラスト止めビス穴２２を介して、調整群基部７のねじ孔１７に螺合している。４つのスラスト止めビス穴２２は光軸Ｌ周りに所定間隔おきに配置されている。
【００１９】
スラスト止めビス２５と環状部材２０の一端面（光軸方向後側の面）との間にはウエーブワッシャ８が挟まれている。ウエーブワッシャ８がスラスト止めビス穴２２の周囲に形成された、ウエーブワッシャ受面２３に当接する。
【００２０】
また、調整群基部７と環状部材２０の他端面（光軸方向前側の面）との間には鋼球９が挟まれている。鋼球９は環状部材２０の他端面に形成された円形凹部２４に嵌合している。円形凹部２４は環状部材２０の他端面に光軸Ｌ周りに所定間隔おきに３箇所に形成されている。鋼球９を調整群基部７と環状部材２０の他端面との間に挟み込むことによってレンズ保持部材１０の動きを滑らかにした。
【００２１】
また、環状部材２０の他端面には、調整群基部７に形成された凹部（図示せず）と係合する回転止めボス（移動防止手段）２６が形成されている。環状部材２０の調整ねじ受け面１２とラジアル受け部２７の位置によっては、調整ビス１１により押圧されたときに、環状部材２０を回転させる力が発生するが、回転止めボス２６により回転を防止できる。
【００２２】
次に、固定レンズ群２と調整レンズ群４との調芯作業を説明する。
【００２３】
調芯は、例えば点光源（図示せず）、固定レンズ群２、調整レンズ群４及び撮像素子を有する測定ユニット（図示せず）の順序に、それらを固定レンズ群２の光軸ｏ．ａ．上に配置して行われる。
【００２４】
調芯は、調整ビス１１によって環状部材２０の一部を変形させ、レンズ室１４を光軸Ｌに交差する方向に押圧して固定レンズ群２の光軸ｏ．ａ．を基準として調整レンズ群４の光軸Ｌを移動させることによって行われる。
【００２５】
例えば、撮像素子上に結像された点像の位置に基づいて偏芯量（調整レンズ群４の光軸Ｌと固定レンズ群２の光軸ｏ．ａ．とのずれ量）を算出し、測定ユニットで得られた測定結果に基づいて調整ビス１１をねじ込み、調整レンズ群４の光軸Ｌを固定レンズ群２の光軸ｏ．ａ．に一致させる。
【００２６】
調芯後、固定用ビス１６を締め込むことによって環状部材２０が調整ビス１１と固定用ビス１６に挟まれて固定され、環状部材２０の移動が阻止される。
【００２７】
この実施形態によれば、部品点数を増加させずに、調芯作業性を容易にすることができる。
【００２８】
なお、ウエーブワッシャ８に代えてワッシャを用いてもよい。また、レンズ保持部材１０を滑らかに移動させることができる場合には鋼球９を省略してもよい。更に、調整群基部７を固定筒１と一体的に形成して調整群基部７を省略してもよい。
【００２９】
また、環状部材２０をレンズ室１４と一体的に形成して環状部材２０を省略してもよい。
【００３０】
更に、溝２１の一端面側と他端面側との幅を変え、調整ビス１１により押圧されたときの一端面側と他端面側との変形度合いを変えることで、溝２１より内側部分が常に調整群基部７に押し付けられるように構成することもできる。
【図面の簡単な説明】
【００３１】
【図１】図１はこの発明の一実施形態に係るレンズ鏡筒の断面を示す概念図である。
【図２】図２は図１のII−II線に沿う断面を示す概念図である。
【符号の説明】
【００３２】
１：固定筒（筒部材）、４：調整レンズ群（光学系）、７：調整群基部（胴付部）、１０：レンズ保持部材（保持枠）、１１：調整ビス（押圧手段）、１４：レンズ室（光学系保持部）、１６：固定用ビス（第１の固定手段）、２０：環状部材（弾性部）、２１：溝、２５：スラスト止めビス（第２の固定手段）、２６：回転止めボス（移動防止手段）、２７：ラジアル受部（当接部）、Ｌ：光軸。
【図１】
2010145892.tif 000003
【図２】
2010145892.tif 000004